【事件の表示】
　平成　４年特許願第２５５２６９号「配線器具」拒絶査定不服審判事件〔平成　６年　４月２２日出願公開、特開平　６−１１１８９５号〕について、次のとおり審決する。
【結　論】
　本件審判の請求は、成り立たない。
【理　由】
１．手続の経緯・本願発明
　本願は、平成４年９月２５日の出願であって、その請求項１に係る発明は、特許請求の範囲の請求項１に記載された次のとおりのものと認める。（以下、「本願発明」という。）
「一面が開口する箱形のボディと、ボディの開口面に覆設されるカバーと、プラグの接触子が抜き差しされるコンセント口を有し、ボディ及びカバーの両側面に開口する開口部にそれぞれ配設される受口カバーとで外郭を構成し、外部の電線と接続される端子板をボディ及びカバーの内部に配設するとともに、コンセント口から差し込まれたプラグの接触子を受ける刃受ばねを端子板に設けるとともに電線の導体と接触接続する接触片を端子板と一体に形成し、受口カバーの内側にコンセント口を閉塞する扉を開閉自在に設け、受口カバーの両側にそれぞれリブを形成するとともに当該リブをボディ及びカバーの開口部の縁部にそれぞれ係止固定して成ることを特徴とする配線器具。」
　
２．引用例
　原査定の拒絶の理由に引用された、実願昭５０−１５３４４号（実開昭５１−９５７９７号）のマイクロフィルム（以下、「引用例１」という。）、実願昭５６−１２９７４０号（実開昭５８−３５２７９号）のマイクロフィルム（以下、「引用例２」という。）、実公昭６０−２０３０７号公報（以下、「引用例３」という。）には、次の事項が図面と共に記載されている。
（１）引用例１
ア）「異方向に外部と連通する複数個の開口６，６，６を同一面上に設けた器体１を形成し、夫々の開口６，６，６に対応した刃受金具７，７，７と該刃受金具７，７，７相互間を導通しかつ外部コード５を接続する端子金具８，８とを該器体１に装着すると共に、プラグ４のさし込み口３，３を具備した受口部品９，９，９を形成して前記夫々の開口６，６，６に嵌着してそのさし込み口３，３方向を器体１の底面と平行させ、前記器体１の開口６，６，６と対応する開口１０，１０，１０を具備した蓋体１１との間で前記受口部品９，９，９を挾着してなる接続器」（２頁８行〜１９行）
イ）「尚１２はくぼみで器体１および蓋体１１の外表面に形成し、くぼみ１２中に器体１と蓋体１１間に連通する孔１３を設けて、該器体１と蓋体１１とを結合する。１４はプラグ４の栓刃である。１５は導電板で刃受金具７，７，７と端子金具８，８間を導電接続する。１６は受口部品９に形成した栓刃１４のガイド壁である。１７は受口部品９に形成した突起であり器体１と蓋体１１との夫々にかみ合うようにしてある。１８はコード引き入れ口でコード５をほゞＷ形に屈曲して端子金具８，８に接続できるようにしてある。１９は受口部品に設けた鍔である。」（３頁１行〜１１行）
ウ）第２図〜第４図には、一面が開口する器体１と、器体１の開口面に覆設される蓋体１１と、器体１の３つの側面の開口６，６，６と蓋体１１の３つの側面の開口１０，１０，１０の間に配設される受口部品９，９，９を備えた接続器が図示されている。
　上記ア）〜ウ）の記載事項からみて、引用例１には次の発明が記載されていると認められる。（以下、「引用発明１」という。）
「一面が開口する器体１と、器体１の開口に覆設される蓋体１１と、プラグ４の栓刃１４が抜き差しされるさし込み口３，３を有し、器体１及び蓋体１１の３つの側面の開口６，６，６と開口１０，１０，１０の間に配設される受口部品９，９，９とで外郭を構成し、外部コード５を接続する端子金具８，８、導電板１５は器体１に装着され、刃受金具７，７，７は導電板１５を介して端子金具８，８に導電接続され、突起１７が受口部品９，９，９に形成され、この突起１７が器体１と蓋体１１との夫々にかみ合わされている接続器。」
（２）引用例２
エ）「（１）刃受ばねを収めた器体と、一対の栓刃挿入孔を形成すると共に裏面に凹所を形成しこの器体と組み合わせて容器を形成する蓋体と、この凹所に収め夫々の栓刃挿入孔に対応した傾斜面を有する一対の扉体と、この凹所に嵌合すると共に栓刃挿入孔を塞ぐように夫々の扉体を寸勢する復帰ばねを一体形成した中蓋とからなる扉付コンセント。」（実用新案登録請求の範囲）
オ）「９ａ，９ｂは一対の扉体であり、凹所６に収め夫々栓刃挿入孔４ａ，４ｂに対応した傾斜面１０ａ，１０ｂを有する扉部１１ａ，１１ｂと当接部１２ａ，１２ｂとを有し、扉部１１ａの下には当接部１２ｂを位置させ、扉部１１ｂの下には当接部１２ａを位置させることによって一対のプラグ栓刃（図示せず）を同時に差し込み、扉部１１ａ，１１ｂを同時に開いた場合のみプラグ栓刃が刃受ばね２に接続できるものである。」（２頁１２行〜２０行）
　上記エ）〜オ）の記載事項からみて、引用例２には次の発明が記載されていると認められる。（以下、「引用発明２」という。）
「蓋体の裏面凹所に、栓刃挿入孔を塞ぐように扉体を開閉自在に設けた扉付コンセント。」
（３）引用例３
カ）「第７図に示すようにコンセント本体５内に設けた受刃１７を、コンセント本体５の前面と後面からプラグ１８を挿入できるように受刃受口１９を両面に形成している。また受刃１７の側部には配線コード１２を接続するための端子板２０と端子板２０内に設けた錠ばね２１とを形成し、この錠ばね２１と端子板２０内壁との間に配線コード１２の先端部を挿入して錠ばね２１で弾接挾持する。」（２頁３欄１６行〜２４行）
　上記カ）の記載事項からみて、引用例３には次の発明が記載されている。
「受刃１７の側部に、端子板２０と端子板２０内に設けた錠ばね２１を形成しているコンセント。」（以下、「引用発明３」という。）
　
３．対比
　本願発明と引用発明１とを比較すると、引用発明１の「器体１」、「蓋体１１」、「栓刃１４」、「さし込み口３，３」、「開口６，６，６及び開口７，７，７」、「受口部品９，９，９」、「外部コード５」、「刃受金具７，７，７」、「接続器」は、その機能、構成からみて、本願発明の「箱形のボディ」、「カバー」、「接触子」、「コンセント口」、「開口部」、「受口カバー」、「外部の電線」、「刃受ばね」、「配線器具」に各々相当し、引用発明１の「端子金具８，８」は、外部コードと接触接続するから、本願発明の「接触片」に相当し、また、引用発明１の「導電板１５」は、端子金具８，８と刃物金具７，７，７を導電接続するから、本願発明の「端子板」に相当する。
　したがって、両者は、本願発明の用語を用いて表現すると、
「一面が開口する箱形のボディと、ボディの開口面に覆設されるカバーと、プラグの接触子が抜き差しされるコンセント口を有し、ボディ及びカバーの側面に開口する開口部にそれぞれ配設される受口カバーとで外郭を構成し、外部の電線と接続される端子板をボディ及びカバーの内部に配設するとともに、コンセント口から差し込まれたプラグの接触子を受ける刃受ばねを端子板に設けるとともに電線の導体と接触接続する接触片を端子板に
導電接続した配線器具。」で一致し、次の点で相違する。
＜相違点１＞
　本願発明は、受口カバーが配設される開口部をボディ及びカバーの両側面に開口しているのに対して、引用発明１は、該開口部をボディ及びカバーの３つの側面に開口している点。
＜相違点２＞
　本願発明は、電線の導体と接触接続する接触片を端子板と一体に形成しているのに対して、引用発明１は、接触片を端子板と一体には形成していない点。
＜相違点３＞
　本願発明は、受口カバーの内側にコンセント口を閉塞する扉を開閉自在に設けているのに対して、引用発明１は該扉を備えていない点。
＜相違点４＞
　本願発明は、受口カバーの両側にそれぞれリブを形成するとともに当該リブをボディ及びカバーの開口部の縁部にそれぞれ係止固定しているのに対して、引用発明１は、受口カバーに突起１７を設け、この突起１７をボディとカバーに夫々かみ合わせている点。
　
４．当審の判断　
＜相違点１＞について
　受口カバーを配線器具の両側面に設けることは当該技術分野において周知の技術であるから（例えば、実公昭６０−２０３０７号公報参照）、受口カバーが配設される開口部をボディ及びカバーの両側面に開口することは、当業者の容易に想到し得たことある。
＜相違点２＞について
　引用発明３の端子板２０は、電線の導体と接触し、また、受刃１７と接触していることから、本願発明の接触片と端子板を兼ねているものであり、接触片と端子板を一体に形成していると云える。また、一般的に複数の部材を一体に形成し、コストダウンを図り、また、部材をよりコンパクトにすることは常套手段である。
　したがって、電線の導体と接触接続する接触片を端子板と一体に形成することは、当業者の適宜なし得た設計的事項である。
＜相違点３＞について
　引用発明２の「蓋体の裏面凹所」、「栓刃挿入孔」、「コンセント」は、その機能、構成からみて、本願発明の「受口カバーの内側」、「コンセント口」、「配線器具」に相当するから、引用発明２は、「受口カバーの内側にコンセント口を閉塞する扉を開閉自在に設けている配線器具」の発明と云える。
　したがって、配線器具において、受口カバーの内側にコンセント口を閉塞する扉を開閉自在に設けることは、当業者の容易に想到し得たことである。
＜相違点４＞について
　引用発明１の「突起１７」は、その機能、構造からして、本願発明の「リブ」に相当し、引用発明１の「突起１７をボディとカバーに夫々かみ合わせる」ということは、突起１７をボディとカバーに夫々係止固定するということである。
　そして、部材に突起を設け、部材を、突起によって他の部材の開口部に係止固定する場合、突起を開口部の縁部に係合固定することは当業者であれば通常考えることであるから、受口カバーの両側にそれぞれリブを形成するとともに当該リブをボディ及びカバーの開口部の縁部にそれぞれ係止固定する程度のことは、当業者の容易になし得た設計的事項である。
　なお、本願発明が奏する作用、効果は当業者の予測し得る範囲のものである。
　
５．まとめ
　以上のとおり、本願発明は、引用発明１〜３及び周知の技術に基いて当業者が容易に発明をすることができたものであるから、特許法第２９条第２項の規定により特許を受けることができない。
　とって、結論のとおり審決する。